(57)【要約】      （修正有）【課題】効率良くメッセージを伝えることができるようにする。【解決手段】  パチンコ機に付随して使用され、パチンコ球を収容するパチンコ球箱１０であって、上方に開口するとともに底板部２２及び第１壁板部２４ａ，第２壁板部２４ｂを有する箱本体２０と、箱本体２０の第１壁板部２４ａの外面に対して設けられ、メッセージカード５０が差し替え可能に収容され、そのメッセージカード５０が収容された状態でそのメッセージカード５０が視認され得るメッセージカード収容部３０とを有する。メッセージカード収容部３０には、メッセージカード５０が複数枚重ねられて収容され得る。メッセージカード収容部３０は、メッセージカード５０を遮蔽する前板部３２を有し、その前板部３２が透視性を有する。【選択図】図１
2006042920.tif 000002
【特許請求の範囲】
【請求項１】
パチンコ機に付随して使用され、パチンコ球を収容するパチンコ球箱であって、
上方に開口するとともに底板部及び壁板部を有する箱本体と、
前記箱本体の前記壁板部の外面に対して設けられ、メッセージが付されたカードであるメッセージカードが差し替え可能に収容され、そのメッセージカードが収容された状態でそのメッセージカードが視認され得るメッセージカード収容部と
を有する、パチンコ球箱。
【請求項２】
請求項１に記載のパチンコ球箱であって、
前記メッセージカード収容部が、前記メッセージカードが複数枚重ねられて収容され得るものである、
パチンコ球箱。
【請求項３】
請求項１又は請求項２に記載のパチンコ球箱であって、
前記メッセージカード収容部は、メッセージカードを遮蔽する遮蔽部を有し、その遮蔽部が透視性を有するものである、
パチンコ球箱。
【発明の詳細な説明】
【技術分野】
【０００１】
本発明は、パチンコ機に付随して使用されるパチンコ球箱に関するものである。
【背景技術】
【０００２】
パチンコ機は遊技盤を有し、その下方には、発射操作部，球受け皿装置（上部受け皿装置，下部受け皿装置）が設けられている。遊技盤（そのうちの遊技領域）には入賞口が設けられている。
そして、遊技者が発射操作部を操作することによってパチンコ球が発射され、そのパチンコ球が入賞口に入った際に、賞球払い出し装置（遊技盤の裏側に設けられている）によって、パチンコ球が、賞球として、球受け皿装置（上部受け皿装置，下部受け皿装置）に対して払い出される。
【０００３】
そして、必要に応じて、パチンコ機に付随して、パチンコ球箱が使用される。
パチンコ球箱は、遊技者等によって、下部受け皿装置の下方に置かれる。そして、下部受け皿装置に対して設けられた開閉部材が操作されることによって、下部受け皿装置に貯められたパチンコ球が、下部受け皿装置から流出（落下）し、パチンコ球箱に収容される。
また、パチンコ機の上部受け皿装置に収容されているパチンコ球の数が少なくなった場合（なくなった場合を含む）には、遊技者によって、そのパチンコ球箱内のパチンコ球が、パチンコ機の上部受け皿装置に補充される。
【０００４】
従来においては、パチンコ球箱は、次のような構造を有している。
そのパチンコ球箱は、上方に開口したほぼ直方体状の容器状をしている。すなわち、そのパチンコ球箱は、ほぼ長方形状の底板部と、４つの壁板部を有している。
そして、従来のパチンコ球箱には、その壁板部等に、そのパチンコホールの名称等のメッセージが予め表示されている態様のものがある。
また、底板部（透視性を有する）にメッセージカードが差し替え可能に取り付けられる態様のものもある。そのメッセージカード（それに記載されたメッセージ）は、透視性を有する底板部を通して、遊技者によって視認される。
【０００５】
しかしながら、壁板部等にメッセージが予め表示されている態様のものの場合は、そのメッセージの内容を変更することができず、不便である。
また、底板部にメッセージカードが差し替え可能に取り付けられる態様のものの場合は、そのメッセージの内容を変更することは可能であるが、そのパチンコ球箱にパチンコ球が収容された状態では、そのメッセージカード（それに記載されたメッセージ）を遊技者が視認することができない。
【発明の開示】
【発明が解決しようとする課題】
【０００６】
本発明は、効率良くメッセージを伝えることができるパチンコ球箱を提供することを目的とする。
【課題を解決するための手段】
【０００７】
上記の目的を達成するために、請求項１に係る発明は、パチンコ機に付随して使用され、パチンコ球を収容するパチンコ球箱であって、上方に開口するとともに底板部及び壁板部を有する箱本体と、前記箱本体の前記壁板部の外面に対して設けられ、メッセージが付されたカードであるメッセージカードが差し替え可能に収容され、そのメッセージカードが収容された状態でそのメッセージカードが視認され得るメッセージカード収容部とを有する、パチンコ球箱である。
【０００８】
上記の発明のパチンコ球箱では、箱本体の内部にパチンコ球が収容され得るとともに、箱本体の壁板部の外面に対して設けられたメッセージカード収容部にメッセージカードが差し替え可能に収容され、その収容状態で、そのメッセージカードが視認可能である。
このため、このパチンコ球箱では、メッセージカードによって遊技者等に対してメッセージを伝えることが可能である。
そして、このパチンコ球箱では、メッセージカードがメッセージカード収容部に対して差し替え可能に収容されるため、その時点で最適なメッセージカードを収容することによって、遊技者に対して適切にメッセージを伝達することが可能である。また、遊技者がメッセージカード収容部からメッセージカードを取り出して持ち帰ることも可能である。
また、このメッセージカード収容部は、箱本体の壁板部の外面に対して設けられているため、箱本体にパチンコ球が収容された状態でも、メッセージカードが視認され得る。
【０００９】
「そのメッセージカードが収容された状態でそのメッセージカードが視認され得る」には、メッセージカード（その少なくとも一部であってメッセージが付された部分）が露出した状態で収容される場合や、透視性を有するものによって遮蔽された状態で収容される場合等がある。
【００１０】
請求項２に係る発明は、請求項１に係る発明のパチンコ球箱であって、前記メッセージカード収容部が、前記メッセージカードが複数枚重ねられて収容され得るものである、パチンコ球箱である。
【００１１】
上記の発明のパチンコ球箱では、請求項１に係る発明のパチンコ球箱における作用及び効果に加えて、次の作用及び効果が得られる。
すなわち、このパチンコ球箱では、メッセージカード収容部に複数枚のメッセージカードが重ねられて収容され得る。このため、同一種類のメッセージカードを重ねて収容した場合には、そのメッセージカードを遊技者が適宜取り出すようにして使用される場合に好適である。また、異なった種類のメッセージカードを重ねて収容した場合には、適宜、その時点でそのうち最も適切なものが最前位置になるように重ね直して使用することが可能である。
【００１２】
請求項３に係る発明は、請求項１又は請求項２に係る発明のパチンコ球箱であって、前記メッセージカード収容部は、メッセージカードを遮蔽する遮蔽部を有し、その遮蔽部が透視性を有するものである、パチンコ球箱である。
【００１３】
上記の発明のパチンコ球箱では、請求項１又は請求項２に係る発明のパチンコ球箱における作用及び効果に加えて、次の作用及び効果が得られる。
すなわち、このパチンコ球箱では、メッセージカード収容部にメッセージカードが収容された状態で、そのメッセージカードが遮蔽部によって遮蔽される。このため、そのメッセージカードが保護され、損傷，劣化することが防止される。一方、その遮蔽部は透視性を有するため、外部から遊技者によってメッセージカードが視認されることは確保される。
【００１４】
なお、「メッセージカードを遮蔽する遮蔽部」には、遮蔽部がメッセージカードのうちの全ての部分を遮蔽する場合に限らず、メッセージカードの一部が露出する（遮蔽されない）場合も含まれる。
【発明の効果】
【００１５】
以上のように、本発明のパチンコ球箱では、パチンコ球を収容するとともに、効率良くメッセージを伝えることができる。
【発明を実施するための最良の形態】
【００１６】
次に、本発明の一実施形態について図面に基づいて説明する。
図１〜図４に示すように、このパチンコ球箱１０は、箱本体２０及び一対のメッセージカード収容部３０を有しており、いずれも合成樹脂によって形成されている。なお、一対のメッセージカード収容部３０については、各図では、そのうちの一方のみが視認可能である。
【００１７】
図１等に示すように、箱本体２０は、上方に開口したほぼ直方体状の容器状をしている。
すなわち、箱本体２０は、底板部２２及び二対の壁板部（一対の第１壁板部２４ａ，一対の第２壁板部２４ｂ）を有している。
底板部２２は、ほぼ長方形状の板状をしており、一対の長辺部及び一対の短辺部（いずれも符号省略）を有している。４つの隅角部（符号省略）は、角（かど）が落とされ、円弧状とされている。
【００１８】
一対の第１壁板部２４ａは、底板部２２の各長辺部からほぼ鉛直上方に向かって延びている。一対の第２壁板部２４ｂは、底板部２２の各短辺部からほぼ鉛直上方に向かって延びている。
上述の４つの円弧状の隅角部に対応して、各一対の第１壁板部２４ａ及び第２壁板部２４ｂは滑らか相互に連なっており、その境界部分は円弧状断面を有している。
各第２壁板部２４ｂの上端部には、把持部２６が形成されている。把持部２６は、各第２壁板部２４ｂの上端部からほぼ水平に張り出すフランジ部２７に把持用長孔部２８が設けられて形成されている。
【００１９】
各メッセージカード収容部３０は、第１壁板部２４ａの外面（外側の面）に各々設けられている。各メッセージカード収容部３０には、複数枚のメッセージカード５０が重ねて収容され得る。
【００２０】
メッセージカード収容部３０は、前板部３２（遮蔽部）を有している。前板部３２は、第１壁板部２４ａの形状に対応して、横長の長方形の板状をしている。
そして、図２にその一部が示されているように、前板部３２は、その上縁部，左縁部，下縁部にわたって形成されたフランジ状の接続部３４によって、第１壁板部２４ａ（その外面）に対して接続されている。
こうして、前板部３２は、第１壁板部２４ａよりも若干外側の位置において、第１壁板部２４ａと平行に配設されている。前板部３２と第１壁板部２４ａとの間の距離は、複数枚のメッセージカード５０の合計の厚みに対応している。
一方、前板部３２の右縁部には接続部３４は存在しておらず、前板部３２の右縁部と第１壁板部２４ａとの間には隙間状開口部３６が形成されている。前板部３２の上縁部，左縁部，下縁部と第１壁板部２４ａとの間は、接続部３４（前述）によって塞がれている。
【００２１】
こうして、メッセージカード収容部３０は、前板部３２の右縁部と第１壁板部２４ａとの間に隙間状開口部３６を有し、前板部３２のその他の縁部（上縁部，左縁部，下縁部）と第１壁板部２４ａとの間が接続部３４によって塞がれた、ポケット状の構造とされている。
このため、図３に示すように、隙間状開口部３６を通して、メッセージカード収容部３０に対して、メッセージカード５０が差し替え（出し入れ）可能である。
【００２２】
前板部３２のうちの右縁部には、カード把持用切欠部３８が形成されている。カード把持用切欠部３８は、細長長方形の形状をベースとした前板部３２のうちの右縁部が内側（左側）に窪むように切り欠かれて形成されている。
このため、図４に示すように、メッセージカード収容部３０内に収容されているメッセージカード５０が、メッセージカード収容部３０から容易に取り出される。 
【００２３】
前板部３２及び接続部３４も合成樹脂によって形成されており（このことは前述）、そのうちの少なくとも前板部３２（その全部又はほぼ全部）は、透視性を有している。すなわち、透明又は半透明に形成されている。
【００２４】
図１等に示すように、メッセージカード５０は、紙又は合成樹脂によって形成されており、メッセージカード収容部３０（前板部３２（カード把持用切欠部３８を除く））の形状及び大きさに対応した横長の長方形状をしている。
このため、メッセージカード５０は、隙間状開口部３６を通してメッセージカード収容部３０の内部にちょうど収容され得る。その収容状態において、カード把持用切欠部３８においては、メッセージカード５０（その右端部）が露出する。メッセージカード５０及びメッセージカード収容部３０はそのような寸法関係とされている。
【００２５】
メッセージカード５０のおもて面には、各種のメッセージが記載されている。
「メッセージ」としては、そのパチンコ機が設置（納入）されているパチンコホールの名称や、そのパチンコ機の遊技説明（遊技方法についての説明）や、そのパチンコホールのイベント等の情報や、他社（スポンサー）の広告等である。
【００２６】
なお、メッセージカード５０のおもて面のみならず、裏面にもメッセージ（特に、おもて面のメッセージとは異なるメッセージ）が記載されていてもよい。
その場合は、適宜、表裏を反転させて使用されることが可能である。
また、遊技者がそのメッセージカード５０を持ち帰り可能とされる場合にも有効である。その際の一態様として、おもて面には遊技説明が記載され、裏面にはそのパチンコホールのイベント等の情報が記載される態様がある。その態様の場合には、おもて面に記載された遊技説明をその遊技者等が家庭等においてじっくりと読んで理解するのに役立つとともに、裏面に記載されたそのパチンコホールのイベント等の情報をその遊技者等が読むことによって、その遊技者等の再度の来店を促す効果も期待できる。
【００２７】
次に、このパチンコ球箱１０の使用方法及び作用効果について説明する。
図１等に示すように、メッセージカード５０としては、複数種類のものが用意される。すなわち、メッセージカード５０自体の大きさは同一ではあるが、メッセージの内容が異なるものを複数種類用意しておく。
そして、図３→図４に示すように、適宜、その時点において最も適切と考えられるメッセージカード５０をパチンコ球箱１０のメッセージカード収容部３０に収容する（特に、１種類のメッセージカード５０を収容する場合に、そのことがいえる）。
メッセージカード５０は、１つのメッセージカード収容部３０に対して１枚のみ収容してもよいし、１つのメッセージカード収容部３０に対して複数枚重ねて収容してもよい。
【００２８】
複数枚のメッセージカード５０を収容する場合には、同一種類のメッセージカード５０（同一のメッセージが記載されたメッセージカード５０）を複数枚重ねて収容することも可能であるし、異なった種類のメッセージカード５０を複数枚重ねて収容することも可能である。
同一種類のメッセージカード５０を複数枚重ねて収容するのは、遊技者が適宜そのメッセージカード５０を持ち帰ることを想定した場合に好適である。
また、異なった種類のメッセージカード５０を複数枚重ねて収容するのは、そのパチンコホールの作業員がその複数種類のメッセージカード５０のうち各時点で最も適切なものを選択してそれが最前位置となるように重ね直して使用する場合に好適である。
【００２９】
いずれにしても、１枚のメッセージカード５０が収容された場合には、そのメッセージカード５０が、メッセージカード収容部３０の前板部３２（前述したように、透視性を有する）を通して遊技者等によって視認され得る。
また、複数枚のメッセージカード５０が重ねて収容された場合には、その最前位置に位置するメッセージカード５０が、メッセージカード収容部３０の前板部３２を通して遊技者等によって視認され得る。
こうして、パチンコホールは、パチンコ球箱１０において、遊技者に対してメッセージを伝えることが可能である。
【００３０】
そして、このパチンコ球箱１０では、メッセージカード５０をメッセージカード収容部３０に対して差し替え（出し入れ）が可能であるため、その時点で最適なメッセージカード５０をメッセージカード収容部３０に収容することによって、遊技者に対して適切にメッセージを伝達することができる。
また、遊技者が、メッセージカード収容部３０からメッセージカード５０を取り出して、それを持ち帰ることも可能である。
【００３１】
また、このパチンコ球箱１０では、メッセージカード収容部３０の前板部３２（遮蔽部）がメッセージカード５０（その大半部分）を遮蔽するため、メッセージカード５０が保護され、メッセージカード５０が損傷，劣化することが防止される。
【００３２】
なお、上記のものはあくまで本発明の一実施形態にすぎず、当業者の知識に基づいて種々の変更を加えた態様で本発明を実施できることはもちろんである。
【００３３】
例えば、メッセージカード収容部３０は、一対の第１壁板部２４ａのうちの一方のみに設けられてもよい。また、メッセージカード収容部３０は、一対の第１壁板部２４ａ（そのうちの一方又は両方）のみならず、一対の第２壁板部２４ｂ（そのうちの一方又は両方）にも設けられてもよい。
【図面の簡単な説明】
【００３４】
【図１】本発明の一実施形態のパチンコ球箱及びメッセージカードを示す斜視図である（斜め上方から見た図である。図３及び図４も同様）。
【図２】本発明の一実施形態のパチンコ球箱を示す斜視図である。斜め下方から見た図である。
【図３】本発明の一実施形態のパチンコ球箱に対してメッセージカードを出し入れする状態を示す斜視図である。
【図４】本発明の一実施形態のパチンコ球箱であってメッセージカードが収容された状態を示す斜視図である。
【符号の説明】
【００３５】
１０  パチンコ球箱
２０  箱本体
２２  底板部
２４ａ  第１壁板部（壁板部）
２４ｂ  第２壁板部（壁板部）
３０  メッセージカード収容部
３２  前板部（遮蔽部）
５０  メッセージカード
【図１】
2006042920.tif 000003
【図２】
2006042920.tif 000004
【図３】
2006042920.tif 000005
【図４】
2006042920.tif 000006